(57)【特許請求の範囲】
【請求項１】
二つの表示用ディスプレイと、
表示処理の前記各表示用ディスプレイへの割当状態に応じて表示処理の割当てを制御する割当て制御手段と、
外部からの着信を検知する検知手段と、
を備え、
前記割当て制御手段は、前記表示用ディスプレイの何れか一方に、待受け中の表示処理が、前記着信が検知された時点において割当てられている場合に、着信中であることを示す表示処理を、待受け中の表示処理が割当てられている前記表示用ディスプレイに割当てる
ことを特徴とする携帯型電話機。
【請求項２】
二つの表示用ディスプレイと、
表示処理の前記各表示用ディスプレイへの割当状態に応じて表示処理の割当てを制御する割当て制御手段と、
外部からの着信を検知する検知手段と、
を備え、
前記割当て制御手段は、前記表示用ディスプレイの何れか一方が、前記着信が検知された時点において表示処理が未割当ての状態である場合に、着信中であることを示す表示処理を、表示処理が未割当ての状態にある前記表示用ディスプレイに割当てる
ことを特徴とする携帯型電話機。
【請求項３】
前記割当て制御手段は、前記表示用ディスプレイに待受け中の表示処理が割当てられているか否かを判定する判定手段を有し、
前記割当て制御手段は、待受け中の表示処理が、前記着信が検知された時点において割当てられている場合に、当該表示用ディスプレイに着信中であることを示す表示処理を割当てる
ことを特徴とする請求項１記載の携帯型電話機。
【請求項４】
前記判定手段は、待受け中の表示処理が割当てられていない場合に、さらに表示処理が未割当ての前記表示用ディスプレイが有るか否かを判定し、
前記割当て制御手段は、表示処理が未割当ての前記表示用ディスプレイがある場合に、当該表示用ディスプレイに着信中であることを示す表示処理を割当てる
ことを特徴とする請求項３記載の携帯型電話機。
【請求項５】
前記割当て制御手段は、表示処理が未割当ての前記表示用ディスプレイがない場合に、何れか一方の前記表示用ディスプレイのみに着信中であることを示す表示処理を割当てる
ことを特徴とする請求項４記載の携帯型電話機。
【請求項６】
前記携帯型電話機は、ユーザーからの通話開始指示を受取る指示受取手段を備え、
前記割当て制御手段は、前記通話開始指示が受けとられた時点において、前記表示用ディスプレイの何れか一方に、待受け中の表示処理が割当てられているか場合に、通話中であることを示す表示処理を、待受け中の表示処理が割当てられている前記表示用ディスプレイに割当てる
ことを特徴とする請求項１又は２記載の携帯型電話機。
【請求項７】
前記携帯型電話機は、ユーザーからの通話開始指示を受取る指示受取手段を備え、前記割当て制御手段は、前記通話開始指示が受けとられた時点において、前記表示用ディスプレイの何れか一方が、表示処理が未割当ての状態である場合に、通話中であることを示す表示処理を、表示処理が未割当ての状態にある前記表示用ディスプレイに割当てる
ことを特徴とする請求項１又は２記載の携帯型電話機。
【発明の詳細な説明】
【０００１】
【発明の属する技術分野】
本発明は、携帯型電話機に関し、特にメールなどを表示する機能を有する携帯型電話機に関する。
【０００２】
【従来の技術】
近年、携帯電話機は多機能化が進み、表示部は発信者情報、着信に関する情報、通話時間、日付け、時刻、メール、電話帳、インターネット機能、ゲーム、写真撮影画像などの表示に広範囲に利用されている。これらの携帯電話機の表示部は、一画面となっているのが通常である。
【０００３】
【発明が解決しようとする課題】
しかし、従来の携帯電話機は一画面しかないため、携帯電話機の複数の機能を利用する場合、その都度メニュー画面からプログラムを呼び出さなければならない。例えば複数の送信メールからメール送信者の名前、住所、電子メールアドレスなど必要な情報を抽出して、メール送信者の電話帳を作成する場合、メール表示機能と電話帳表示機能を交互に繰り返し呼び出し、利用しなければならないという問題を生じる。
【０００４】
そこで、本発明は、二つの機能を並行して実行することが可能な携帯型電話機を提供することを目的とする。
【０００５】
【課題を解決するための手段】
上記課題を解決するため本発明は、二つの同程度のサイズの表示用ディスプレイと、前記表示用ディスプレイのそれぞれに、異なる表示処理を割当てる割当て手段と、を備えることを特徴とする。
上記二つの表示用ディスプレイは並んで配置されることを特徴としてもよい。前記割当て手段は、一のディスプレイに待ち受け中又は通話中を示す表示処理を割当て、他のディスプレイにユーザ操作に応じた他の表示処理を割当てることを特徴としてもよい。
【０００６】
前記割当て手段は、前記他の表示処理として、メールに関する表示処理又はゲームに関する表示処理を割当てることを特徴としてもよい。
前記表示割当て手段は、ディスプレイ表示を伴う複数の表示処理からユーザー操作に応じて表示処理を選択する選択部と、ディスプレイに対する表示処理の割当状態に応じて、選択された表示処理をディスプレイに割当てる割当部とを備えることを特徴としてもよい。
【０００７】
前記割当部は、一のディスプレイに待ち受け中又は通話中を示す表示処理を割当て、他のディスプレイが未割当てである場合に前記選択部により選択された表示処理を割当てることを特徴としてもよい。
前記選択部は、メールに関する表示処理又はゲームに関する表示処理を割当てることを特徴としてもよい。
【０００８】
【発明の実施の形態】
図１は、本実施形態における携帯型電話機１の主要部の構成を示す。携帯型電話機１は、アンテナ１００、無線部１０１、操作部１０２、メモリ１０３、ディスプレイ１０４、ディスプレイ１０５、CPU１０６から構成される。無線部１０１は、アンテナ１００を介し、無線信号を受信し、受信した信号をデータに復調しCPU１０５に送信する。
【０００９】
操作部１０２には、図２に示すように、通話キー１０２a、通話終了キー１０２b、選択キー１０２ｃ、文字入力キー部１０２ｄが含まれる。通話キー１０２aは通話開始を知らせる情報をCPU１０６へ入力するためのキーである。通話終了キー１０２bは通話終了を知らせる情報をCPU１０６へ入力するためのキーである。選択キー１０２ｃはメモリ１０３から読み出すメニュープログラムを指示する命令をCPU１０６へ入力するためのキーである。選択キー１０２ｃは又、メール作成プログラム起動中は作成されたメールの送信命令をCPU１０６へ入力するためのキーである。文字入力キー部１０２ｄは数字キー０〜９から構成され、各数字キーには対応する文字リストが割当てられている。CPU１０６は数字キー入力を検知すると、対応する文字リストをメモリ１０３から読み出し、数字キー押下回数に応じて文字リストの中から対応する文字を選択し、ディスプレイ１０４又はディスプレイ１０５に表示する。
【００１０】
メモリ１０３は、通話、着信、メール、電話帳、ゲームなどのプログラム、文字リストなどを格納する。ディスプレイ１０４とディスプレイ１０５は、図２に示す通り、大きさが互いに同一で、並んで配置されている。ディスプレイ１０４とディスプレイ１０５は、CPU１０６によって決定された表示内容を画面に表示する。
【００１１】
CPU１０６は、無線部１０１から送信される着信信号又は操作部１０２からのキー入力に応じて、ディスプレイ１０４及びディスプレイ１０５の表示内容を決定する。CPU１０６は、上記着信信号を検知した場合には、ディスプレイの一方を着信表示に切り替える。また、CPU１０６はメニュー選択キー１０２ｃ押下によりメニュープログラム読み出し指示命令を検知すると、未使用（表示処理が割当てられていない状態、例えば表示が消えている状態。）のディスプレイが有る場合、未使用のディスプレイに対応するプログラムを起動し、ディスプレイ１０４、１０５の両方に表示処理が割当てられている場合には対応するプログラムの起動を中止する。
【００１２】
図３は、発着信があった場合のCPU１０６の動作を示すフローチャートである。CPU１０６は無線部１０１から送信される着信信号又は通話キー１０２a押下を検知すると、待ち受け表示中又は着信表示中のディスプレイが有るかどうかを判定する（S1001）。待ち受け表示中又は着信表示中のディスプレイが有る場合、CPU１０６は発着信プログラム（着信信号を検知した場合は着信プログラム、通話キー１０２a押下を検知した場合は通話プログラム）を起動し、当該ディスプレイに発着信の表示処理を割当てる（S1002）。
【００１３】
待ち受け表示中又は着信表示中のディスプレイが無い場合、CPU１０６は未使用ディスプレイが有るかどうかを判定する（S1003）。未使用ディスプレイが有る場合、CPU１０６は発着信プログラムを起動し、当該ディスプレイに発着信の表示処理を割当てる（S1004）。未使用のディスプレイが無い場合、CPU１０６は使用中の何れか一つのディスプレイの表示処理を中断し、表示データを退避させた（S1005）後、発着信プログラムを起動し、当該ディスプレイに発着信の表示処理を割当てる（S1006）。
【００１４】
CPU１０６は通話終了キー１０２ｂ押下を検知すると、発着信の表示処理を終了する（S1007）。CPU１０６は退避したデータが有るか否かを判定し（S1008）、退避したデータが有る場合、上記表示処理を中断したディスプレイの表示を復帰する（S1009）。CPU１０６は、退避したデータが無い場合、待ち受け表示プログラムを起動し、待ち受け表示をさせる（S1010）。
【００１５】
図６は上記の場合のディスプレイ１０４とディスプレイ１０５の表示例を示す。図６の表示例においては、ディスプレイ１０４は待ち受け表示中、ディスプレイ１０５はメールの文章を表示中（図６のS21）であるので、CPU１０６は着信信号を検知すると、ディスプレイ１０４に着信プログラムを起動し、ディスプレイ１０４に着信の表示処理を割当てる（図６のS22、S1001,S1002）。CPU１０６は通話キー１０２a押下を検知すると、通話プログラムを起動し、着信表示中のディスプレイ１０４に通話の表示処理を割当てる（図６のS23、S1001,S1002）。CPU１０６は文字入力キー部１０２dからの文字入力を検知すると、ディスプレイ  １０５に入力された文字を表示する（図６のS24）。CPU１０６は通話終了キー１０２ｂ押下を検知すると（S1007）、待ち受け表示プログラムを起動し（S1010）、ディスプレイ１０４に待ち受け表示をさせる（図６のS25）。CPU１０６は選択キー１０２ｃ押下を検知すると、作成されたメールを送信する（図６のS26）。
【００１６】
以上のように本実施例においては、メール作成の操作中に着信があっても二つのディスプレイにそれぞれ異なる内容の表示をさせることにより、ユーザーは通話をしながら、引き続きメール作成操作を継続し、通話終了後図６のS26に示すように作成したメールをすぐに送信することができる。なお、本実施例においては、ハンズフリーもしくは、ハンドセット・イヤホンを使用することにより、通話をしながら続けてメール作成のための文字入力をすることができる。
【００１７】
図４は発着信中を除くディスプレイ表示割り当て処理後のCPU１０６の動作を示す。CPU１０６は起動中のプログラムの数が０の場合には、一方のディスプレイを未使用の状態にし（S2002）、もう一方のディスプレイに待ち受け表示をさせる（S2004）。CPU１０６は起動中のプログラムの数が１つの場合、一方のディスプレイで、起動中の表示処理を実行し（S2003）、もう一方のディスプレイで待ち受け表示をする（S2004）。CPU１０６は起動中のプログラムの数が2つの場合、ディスプレイ１０４とディスプレイ１０５で、起動中の表示処理を交互に実行する（S2005、S2006）。
【００１８】
図５はメニュー選択操作におけるCPU106のディスプレイ表示割り当て処理動作例を示す。ユーザーのメニュー選択キー１０２ｃ押下により、CPU１０６はメモリ１０３から読み出すプログラムの指示命令を受け取る（S3001）。CPU１０６は指示命令に応じてメモリ１０３から読み出すプログラムを１つ選択する（S3002又はS3003又はS3004又はS3005）。CPU１０６はディスプレイ１０４が未使用か待ち受け表示中（以下未割当てという。）と判定すると（S3006）、ディスプレイ１０４に当該表示処理を割当てる（S3007）。CPU１０６はディスプレイ１０４が未割当てでないと判定した（S3006）場合、ディスプレイ１０５が未割当てであるか否かを判定する（S3008）。CPU１０６はディスプレイ１０５が未割当てと判定すると（S3008）、当該プログラムを起動し、ディスプレイ１０５に当該表示処理を割当てる処理を行う（S3009）。CPU１０６は、ディスプレイ１０５が未割当てでないと判定すると（S3008）、当該プログラムの起動を中止する。
【００１９】
なお、通話しながら行える操作は、メール作成に限らない。例えばゲームであってもよいし、電話帳作成であってもよい。図５のS3001のメニュー選択でゲーム又は電話帳のプログラムを選択し、一方のディスプレイで選択した表示処理を実行し、他方のディスプレイを未割当てにしておくと、図３に示すように発着信の表示処理は未割当てのディスプレイで実行されるので、通話しながらゲーム又は電話帳作成をすることができる。また、カメラを図２の１２０に示す位置に配置することにより、写真撮影しながら通話することもできる。また、撮影した写真の画像をメモリ１０３に記憶させ、画像表示プログラムを図５のメニューに加えることにより、上記のゲーム、電話帳の場合と同様の操作をすると、通話しながら撮影した写真を見ることもできる。
【００２０】
また、本実施形態においては、通話中以外の場合においても二画面表示を活用することができる。例えば、２つのディスプレイが未割当ての場合に、図５のS3001のメニュー選択操作でまずメール表示プログラム（図５のS3003）を選択し、ディスプレイ１０４にメール表示の表示処理を割当て、次にメニュー選択操作で電話帳プログラムを選択し、ディスプレイ１０５に電話帳の表示処理を割当てる。この操作により受信したメールの内容をディスプレイ１０４に表示させ、電話帳をディスプレイ１０５に表示させることができ、ディスプレイ１０４に表示されたメール送信者の名前、住所、電子メールアドレスなどを直接眼で確認しながらディスプレイ１０５に表示されている電話帳に記録することができる。
【００２１】
なお、本実施形態においては、操作部１０２に画面切り替えキーを設けることにより、ユーザーが必要に応じて二画面表示を1画面表示に切り替えることができる。また、ユーザーの使用する機能に応じて自動的に一画面表示と二画面表示を切り替えるようにすることもできる。例えば、メール作成機能を使用するときには、自動的に二画面表示に切り替わり、ゲームをするときは自動的に一画面表示に切り替わるというようにすることもできる。
【００２２】
また、本実施形態においては、図２の１０２eに示すように操作部１０２にディスプレイ選択キーを設けることにより、ユーザーがメニュー選択操作により起動させる表示処理を割当てるディスプレイを選択できるようにすることができる。
また、操作部１０２に含まれる操作キーは、押下形式のものであってもよいし、回転式のものであってもよいし、タッチパネル形式のものであってもよい。
【００２３】
【発明の効果】
本発明は、二つの同程度のサイズの表示用ディスプレイと、前記表示用ディスプレイのそれぞれに、異なる表示処理を割当てる割当て手段と、を備えることを特徴とする。この構成によりユーザーは二つの機能を並行しながら継続することができる。
【００２４】
また、前記割当て手段は、一のディスプレイに待ち受け中又は通話中を示す表示処理を割当て、他のディスプレイにユーザ操作に応じた他の表示処理を割当てることを特徴とする。前記割当て手段は、前記他の表示処理として、メールに関する表示処理又はゲームに関する表示処理を割当てることを特徴とする。この構成によりユーザーは通話しながらメール作成やゲームを行うことができる。またユーザーは通話終了後すぐに通話中に作成したメールを送信することができる。また、前記表示割当て手段は、ディスプレイ表示を伴う複数の表示処理からユーザー操作に応じて表示処理を選択する選択部と、ディスプレイに対する表示処理の割当状態に応じて、選択された表示処理をディスプレイに割当てる割当部と
を備えることを特徴とする。この構成により、ユーザーは必要に応じて並行して行う機能を選択することができる。
【図面の簡単な説明】
【図１】本実施形態における携帯型電話機１の主要部の構成を示す。
【図２】二つのディスプレイ１０４と１０５を備える携帯電話１を示す。
【図３】発着信があった場合のCPU１０６の動作を示すフローチャートを示す。
【図４】発着信中を除くCPU１０６のディスプレイ表示割り当て後の動作を示す。
【図５】メニュー選択操作におけるCPU106のディスプレイ表示割り当て処理動作例を示す。
【図６】ディスプレイ１０４とディスプレイ１０５の表示例を示す。
【符号の説明】
１        携帯型電話機
１００    アンテナ
１０１    無線部
１０２    操作部
１０２a   通話キー
１０２b   通話終了キー
１０２c   メニュー選択キー
１０２d   文字入力キー部
１０３    メモリ
１０４    ディスプレイ１
１０５    ディスプレイ２
１０６    ＣＰＵ
【図１】
0003653467.tif 000002
【図２】
0003653467.tif 000003
【図３】
0003653467.tif 000004
【図４】
0003653467.tif 000005
【図５】
0003653467.tif 000006
【図６】
0003653467.tif 000007